(57)【特許請求の範囲】
【請求項１】
パーソナルコンピュータと電話機との間に位置し前記電話機に対してビジネスホン機能を提供するＰＣ用拡張ボードをリセット制御する際に用いられるリセット制御方式であって、
前記ＰＣ用拡張ボードには、前記ビジネスホン機能を実現するビジネスホン機能回路と、前記ビジネスホン機能回路を制御するＣＰＵと、前記ＣＰＵと前記パーソナルコンピュータとのインターフェースを行うＰＣインターフェース回路と、リセット制御回路とが備えられ、
前記ＣＰＵは、前記ＰＣ用拡張ボードが稼働中であるか否かを示すボード状態信号を生成し、
前記リセット制御回路は、前記パーソナルコンピュータからリセット又は再起動信号を受けた際前記ボード状態信号に応じて電源投入時のリセットであると判定すると前記ＣＰＵ、前記ビジネスホン機能回路及び前記ＰＣインターフェース回路をリセットし、前記ＰＣ用拡張ボードが稼働中であると判定すると前記ＣＰＵ及び前記ビジネスホン機能回路をリセットすることなく、前記ＰＣインターフェース回路をリセットすることを特徴とするリセット制御方式。
【請求項２】
請求項１に記載されたリセット制御方式において、前記リセット制御回路から前記ＣＰＵに対して前記パーソナルコンピュータのリセット状態の変化を示すＰＣリセット状態変化通知と前記パーソナルコンピュータのリセット状態を示すＰＣリセット状態表示が与えられており、前記ＰＣリセット状態変化通知と前記ＰＣリセット状態表示に基づいて、前記ＣＰＵは前記パーソナルコンピュータのリセット期間中は前記パーソナルコンピュータとの通信を中断しリセット解除後に前記ＰＣインターフェース回路を初期化するようにしたことを特徴とするリセット制御方式。
【発明の詳細な説明】
【０００１】
【発明の属する技術分野】
本発明は、ビジネスホン機能を提供するＰＣ用拡張ボードのリセットを制御する際に用いられるリセット制御方式に関する。
【０００２】
【従来の技術】
一般に、ＵｎＰＢＸタイプのビジネスホン又はボタン電話装置においては、ビジネスホン機能を提供するためのＰＣ用拡張ボードが備えられている。
【０００３】
図２を参照して、ビジネスホンにおいて、ビジネスホン機能を提供する際には、ＰＣ（ＵｎＰＢＸ）１１にＰＣ用拡張ボード１２が備えられ、このＰＣ拡張用ボード１２に電話回線１３及び電話機（多機能電話機）１４が接続される。図示のように、ＰＣ拡張用ボード１２には、ビジネスホン機能回路１２ａが備えられており、このビジネスホン機能回路１２ａによってビジネスホン機能が実現される。
【０００４】
さらに、ＰＣ拡張用ボード１２には、ＣＰＵ１２ｂ、ＰＣインターフェース回路（ＰＣｉ／ｆ回路）１２ｃ、及びＰＣインターフェース（ＰＣｉ／ｆ）１２ｄが備えられており、ＰＣインターフェース１２ｄにはＰＣ１１内に備えられたリセット回路１１ａに接続されている。
【０００５】
図２に示すＰＣ用拡張ボード１２では、ＰＣ１１から制御に応じてＣＰＵ１２ｂがビジネスホン機能回路１２ａを呼制御して、電話機１３から各種コマンドに応じてビジネスホン機能回路１２ａによってビジネスホン機能が実現されることになる。
【０００６】
ところで、上述のＰＣ拡張用ボード１２では、ＰＣ１１内に備えられたリセット回路１１ａからリセット信号がＰＣインターフェース１２ｄを介してビジネスホン機能回路１２ａ、ＣＰＵ１２ｂ、及びＰＣインターフェース回路１２ｃに与えられ、これによって、ビジネスホン機能回路１２ａ、ＣＰＵ１２ｂ、及びＰＣインターフェース回路１２ｃがリセットされる。
【０００７】
【発明が解決しようとする課題】
図２に示すＰＣ用拡張ボード１２においては、ＰＣに備えられたリセット回路１１ａからのリセット信号をＰＣインターフェース１２ｄを介してビジネスホン機能回路１２ａ、ＣＰＵ１２ｂ、及びＰＣインターフェース回路１２ｃに与えており、つまり、ＰＣ１１からのリセット信号をそのままＰＣ用拡張ボード１２内の各回路に与えており、ＰＣ１１においてリセット又は再起動があると、必然的にリセット信号がＰＣ用拡張ボードに与えられて、この結果、ＰＣ用拡張ボード側のサービスが停止してしまうという問題点がある。
【０００８】
このような不具合を防止するため、図３に示すＰＣ用拡張ボードでは、独自にリセット回路１３ａを備えており、ＰＣ１１内に備えられたリセット回路１１ａと独立してリセット回路１３ａからリセット信号がビジネスホン機能回路１２ａ、ＣＰＵ１２ｂ、及びＰＣインターフェース回路１２ｃに与えられている。なお、図示の例においては、図１と同一の構成要素については同一の参照番号を付す。
【０００９】
ところが、図３に示すＰＣ用拡張ボード１３においては、ＰＣ１１からのリセット信号と独立的にリセット回路１３ａからのリセット信号に応じてボード内の各回路をリセットできるものの、ＰＣと独立してリセットがかかると、ＰＣがリセット又は再起動した際のリソースの自動割り付けに対応できないという問題点がある。
【００１０】
本発明の目的は、ＰＣのリセット又は再起動の際ＰＣ用拡張ボード側のサービスが停止されることなく、リソースの自動割り付けを行うことのできるリセット制御方式を提供することにある。
【００１１】
【課題を解決するための手段】
本発明によれば、パーソナルコンピュータと電話機との間に位置し前記電話機に対してビジネスホン機能を提供するＰＣ用拡張ボードをリセット制御する際に用いられるリセット制御方式であって、前記ＰＣ用拡張ボードには、前記ビジネスホン機能を実現するビジネスホン機能回路と、前記ビジネスホン機能回路を制御するＣＰＵと、前記ＣＰＵと前記パーソナルコンピュータとのインターフェースを行うＰＣインターフェース回路と、リセット制御回路とが備えられ、前記ＣＰＵは、前記ＰＣ用拡張ボードが稼働中であるか否かを示すボード状態信号を生成し、前記リセット制御回路は、前記パーソナルコンピュータからリセット又は再起動信号を受けた際前記ボード状態信号に応じて電源投入時のリセットであると判定すると前記ＣＰＵ、前記ビジネスホン機能回路及び前記ＰＣインターフェース回路をリセットし、前記ＰＣ用拡張ボードが稼働中であると判定すると前記ＣＰＵ及び前記ビジネスホン機能回路をリセットすることなく、前記ＰＣインターフェース回路をリセットすることを特徴とするリセット制御方式が得られる。
【００１３】
また、前記リセット制御回路から前記ＣＰＵに対して前記パーソナルコンピュータのリセット状態の変化を示すＰＣリセット状態変化通知と前記パーソナルコンピュータのリセット状態を示すＰＣリセット状態表示が与えられており、前記ＰＣリセット状態変化通知と前記ＰＣリセット状態表示に基づいて、前記ＣＰＵは前記パーソナルコンピュータのリセット期間中は前記パーソナルコンピュータとの通信を中断しリセット解除後に前記ＰＣインターフェース回路を初期化する。
【００１４】
【発明の実施の形態】
以下本発明について図面を参照して説明する。
【００１５】
図１を参照して、図示の例において、図２と同一の構成要素については同一の参照番号を付し説明を省略する。図示のＰＣ用拡張ボード１４にはリセット制御回路１４ａを備えており、ＰＣ１１内に備えられたリセット回路１１ａからのリセット信号がＰＣインターフェース１２ｄを介してリセット制御回路１４ａに与えられる。
【００１６】
電源投入時のリセット（パワーオンリセット）においては、ボード内の各回路（ビジネスホン機能回路１２ａ、ＣＰＵ１２ｂ、及びＰＣインターフェース回路１２ｃ）を初期化する必要がある。このため、ＣＰＵ１２ｂからはボードの状態を示すボード状態信号がリセット制御回路１４ａに与えられている。このボード状態信号は、ボード上のサービス機能（ビジネスサービス）が稼働中であるか否かを表している。そして、リセット制御回路１４ａでは、このボード状態信号に基づいてＰＣ１１からのリセット信号が電源投入時のリセットであるか否かを判断する。リセット制御回路１４ａでは、ＰＣ１１からのリセット信号が電源投入時のリセットであると判断すると、ビジネスホン機能回路１２ａ、ＣＰＵ１２ｂ、及びＰＣインターフェース回路１２ｃをリセットする。
【００１７】
いま、通電中にＰＣ１１でリセットがあると（ＰＣのリセット、再起動時）、つまり、通電中にＰＣ１１からリセット信号を受けても、リセット制御回路１４ａでは、ボード状態信号からボード上のサービス機能が稼働中であると判断して、ビジネスホン機能回路１２ａ及びＣＰＵ１２ｂをリセットすることなく、ＰＣインターフェース回路１２ｃのみをリセットする。この結果、稼働中のビジネスホン機能は中断されることなく動作を継続することになる。
【００１８】
この際、リセット制御回路１４ａからＣＰＵ１２ｂに対してＰＣのリセット状態の変化を示すＰＣリセット状態変化通知及びＰＣのリセット状態を示すＰＣリセット状態表示が与えられており、これによって、ＣＰＵ１２ｂはリセット期間中においては、ＰＣ１１との通信を中断する。
【００１９】
ＰＣ１１側で、リセットが解除されると、ＰＣ１１では、リソースの自動割り付け及びＰＣ上のソフトウェアからの初期設定等を行う。そして、ＣＰＵ１２ｂは、リセット制御回路１４ａから与えられるＰＣリセット状態変化通知及びＰＣリセット状態表示からＰＣ１１側のリセット解除を知り、ＣＰＵ１２ｂは、ボード側ＰＣインターフェース回路１２ｃの初期設定を行って（又はＰＣ１１との通信の初期設定を行って）、ＰＣ１１との通信を再開する。
【００２０】
なお、リセット制御回路１４ａには、メモリバックアップ用電池等の制御回路、電源電圧を監視して電圧異常を検出した際にリセットを行う回路、及びパワーオンリセット回路等を含むようにしてもよい。
【００２１】
【発明の効果】
以上説明したように、本発明では、ＰＣのリセット又は再起動の際、ＰＣ用拡張ボード側のサービスが停止されることなく、しかもリソースの自動割り付けを行うことのできるという効果がある。つまり、本発明では、ＰＣがリセット又は再起動された場合でも、ビジネスホン機能を稼働させることができ、しかもリセット解除後には正常にＰＣとＰＣ用拡張ボードとにおいて通信を行うことができる。
【図面の簡単な説明】
【図１】本発明によるリセット制御方式の一例を説明するためのブロック図である。
【図２】従来のリセット制御方式の一例を説明するためのブロック図である。
【図３】従来のリセット制御方式の他の例を説明するためのブロック図である。
【符号の説明】
１１  ＰＣ（ＵｎＰＢＸ）
１１ａ，１３ａ  リセット回路
１２  ＰＣ用拡張ボード
１２ａ  ビジネスホン機能回路
１２ｂ  ＣＰＵ
１２ｃ  ＰＣインターフェース回路（ＰＣｉ／ｆ回路）
１２ｄ  ＰＣインターフェース（ＰＣｉ／ｆ）
１３  電話回線
１４  電話機
１４ａ  リセット制御回路
【図１】
0004226752.tif 000002
【図２】
0004226752.tif 000003
【図３】
0004226752.tif 000004